(57)【要約】【課題】従来のメトロノームは、ケースに振動を伝播させて拍子音を発音するため、拍子音の音質等がケースの材質、形状等に影響してしまう。【解決手段】振り子と、前記振り子を揺動可能に軸支する振り子軸と、前記振り子軸を回動可能に支持するとともに、前記振り子軸に軸方向の振動を加える機械体と、前記機械体を収納するケースと、を備えるメトロノームにおいて、前記ケースと別体で構成され、前記ケースの外表面から露出するとともに、前記振り子軸の軸方向に位置する当接部を有する発音体を備え、前記振り子軸は、前記振動により前記当接部に当接することを特徴とする。【選択図】図１
2014185922.tif 000002
【特許請求の範囲】
【請求項１】
振り子と、前記振り子を揺動可能に軸支する振り子軸と、前記振り子軸を回動可能に支持するとともに、前記振り子軸に軸方向の振動を加える機械体と、
前記機械体を収納するケースと、を備えるメトロノームにおいて、
前記ケースと別体で構成され、前記ケースの外表面から露出するとともに、前記振り子軸の軸方向に位置する当接部を有する発音体を備え、
前記振り子軸は、前記振動により前記当接部に当接することを特徴とするメトロノーム。
【請求項２】
前記発音体を固定するとともに、前記ケース又は前記機械体に設けられる支持部を有し、
前記発音体は、前記ケースと対向する面に、前記振り子軸の軸方向に振動可能な振動部を有することを特徴とする請求項１に記載のメトロノーム。
【請求項３】
前記発音体は、凹部を備えることを特徴とする請求項２に記載のメトロノーム。
【請求項４】
前記発音体において、前記当接部と異なる他の部分を有し、前記当接部の厚さが前記他の部分の厚さより薄いことを特徴とする請求項２または３に記載のメトロノーム。
【請求項５】
前記発音体の前記ケースと対向する面が、前記ケースの前記発音体と対向する端部から離間することを特徴とする請求項２から４のいずれか１項に記載のメトロノーム。
【請求項６】
前記発音体は、木製であることを特徴とする請求項１から５のいずれか１項に記載のメトロノーム。
【請求項７】
前記発音体を前記振り子軸の軸方向に可動する位置調節部を有することを特徴とする請求項１に記載のメトロノーム。
【発明の詳細な説明】
【技術分野】
【０００１】
本発明は、メトロノームに関するものである。
【背景技術】
【０００２】
従来、メトロノームは、振り子を軸支する振り子軸を備え、振り子軸の振動により振り子軸の一端部をケースの内面に当接させ、ケースに振動を伝播して発音している。また、ケースと一体に形成された仕切り壁に振り子軸の一端部を当接し、仕切り壁によって分けられたケースの一部に振動を伝播して、発音するメトロノームが考案されている（例えば特許文献１参照）。また、ケースの内面の振動軸を当接させる部分に響板を貼り付け、響板及びケースの振動により発音するメトロノームも考案されている。
【０００３】
このようなメトロノームは、機械体を駆動させ、機械体の駆動により振り子を揺動させて、拍子を報知する。また、メトロノームは、機械体の駆動により振り子軸に軸方向の振動を加え、振り子軸の一端部をケースの一部等に当接させ、ケースに振動を伝播し、拍子音を発音する。
【先行技術文献】
【特許文献】
【０００４】
【特許文献１】実開平２−１１５１９３号公報
【発明の概要】
【発明が解決しようとする課題】
【０００５】
このようなメトロノームは、ケースに振動を伝播させて拍子音を発音するため、拍子音の音質等がケースの材質、形状等に影響してしまう。また、響板を用いた場合、響板はケースの内面に貼り付けられ、ケースに覆われている。そのため、拍子音は、ケースへ振動が伝播し、ケースを介して外の空気が振動することで聞こえる。よって、この場合も拍子音の音質等は、ケースの材質等に影響してしまう。
【課題を解決するための手段】
【０００６】
本発明は、振り子と、前記振り子を揺動可能に軸支する振り子軸と、前記振り子軸を回動可能に支持するとともに、前記振り子軸に軸方向の振動を加える機械体と、前記機械体を収納するケースと、を備えるメトロノームにおいて、前記ケースと別体で構成され、前記ケースの外表面から露出するとともに、前記振り子軸の軸方向に位置する当接部を有する発音体を備え、前記振り子軸は、前記振動により前記当接部に当接することを特徴とする。
【０００７】
発音体がケースの外表面から露出しているため、発音体の振動や発音体の振動によって発生する音はケースを伝播せずに露出部分よりケースの外の空気へ伝播し、発音体固有の音色をもつ拍子音となる。そのため、発音体自体から発音する音を、ケースの影響を抑制して拍子音として聞くことができる。
【０００８】
また、前記発音体を固定するとともに、前記ケース又は前記機械体に設けられる支持部を有し、前記発音体は前記ケースと対向する面に前記振り子軸の軸方向に振動可能な振動部を有してもよい。
【０００９】
発音体は支持部により固定されるため、振り子軸を当接部に確実に当接させることができる。さらに、発音体は、ケースと対向する面に振動部を有している。すなわち、振動部は、支持部に固定されていないため、振動可能になっている。
【００１０】
支持部の固定により、発音体の支持部に固定される部分の振動は抑制される。支持部はこの固定される部分からの振動の伝搬により振動するため、支持部の振動も抑制される。  また、ケース又は機械体は、支持部からの振動の伝搬により振動するため、これらの振動も抑制される。一方、振動部は、支持部に固定されていないため、振動は抑制されない。すなわち、ケースまたは機械体の振動より、振動部の振動は大きい。そのため、発音体自体から発音される拍子音を強調することができる。
【００１１】
この際、前記発音体は、凹部を備えてもよい。
これにより、当接部からの凹部に振動が伝播し、凹部内で共鳴するため、より発音体自体から発音される拍子音を強調することができる。
【００１２】
また、前記発音体において、前記当接部と異なる他の部分を有し、前記当接部の厚さが前記他の部分の厚さより薄くてもよい。
これにより、当接部の振動が大きくなるため、拍子音の音量が大きくなり、発音体自体から発音される拍子音を強調することができる。
【００１３】
また、前記発音体の前記ケースと対向する面が、前記ケースから離間してもよい。
これにより、前記ケースから離間した面では、発音体の端部の振動が固定部からケースへ伝播せずにケースの外の空気へ伝播するため、発音体固有の音色を持つ音の音量が大きくなり、より発音体自体から発音される拍子音を強調することができる。
【００１４】
また、前記発音体を前記振り子軸の軸方向に可動する位置調節部を有してもよい。
これにより、振り子軸の振動による当接部への振動の大きさを調節できるため、拍子音の音量を調節できる。
【発明の効果】
【００１５】
本発明によれば、発音体がケースの外表面から露出しているため、発音体の振動や発音体の振動によって発生する音はケースを伝播せずに露出部分よりケースの外の空気へ伝播し、発音体固有の音色をもつ拍子音となる。そのため、発音体自体から発音する音を、ケースの影響を抑制して拍子音として聞くことができる。
【図面の簡単な説明】
【００１６】
【図１】本発明に係るメトロノームの正面図である。
【図２】本発明に係るメトロノームの側面図である。
【図３】図１におけるメトロノームのＡＡ線での断面図である。
【図４】図２におけるメトロノームのＢＢ線での断面図である。
【図５】本発明に係るメトロノームの上面図である。
【図６】本発明に係るケースの内部の側面図である。
【図７】本発明に係るケースの内部の正面図である。
【図８】本発明に係る振り子軸の振動を説明する図である。
【図９】本発明に係るケースの内部の側面図である。
【図１０】本発明に係る発音体の構造を示す図である。
【図１１】本発明に係る発音体の構造を示す図である。
【図１２】本発明に係る発音体の構造を示す図である。
【図１３】本発明に係る発音体の構造を示す図である。
【図１４】本発明に係る発音体の構造を示す図である。
【発明を実施するための形態】
【００１７】
以下、図面を参照して、本発明の実施の形態について説明する。図１、図２は、それぞれ本発明に係るメトロノームの正面図、側面図である。
図１のメトロノーム１は、ケース２と、ケース２の前面に設けられた目盛盤５と、目盛盤５の上部に配置された振り子１１と、振り子１１に設けられた遊錘１２と、ケース２の側面に設けられたぜんまい巻４とを備える。また、ケース２の下部は、基部８で構成されている。また、メトロノーム１は、基部８に発音体６０を備えている。すなわち、基部８は、発音体６０が収納される開口部を有している。
【００１８】
発音体６０は、ケース２と別体で構成され、ケース２の基部８の外表面から露出している。また、発音体６０は、振り子１１に対してケースの前面側に設けられている。なお、図２において、発音体６０は、点線で囲まれている部分である。また、発音体６０は、木製である。なお、発音体６０の材料はこれに限らず、所望の材料を選択することができる。
また、ケース２は例えば樹脂製である。なおケース２の材料はこれに限らず、所望の材料を選択することができる。
【００１９】
図３は、図１におけるメトロノームのＡＡ線での断面図である。なお、図３においてケース２の目盛盤５側及び振り子１１を省略している。また、図４は、図２におけるメトロノームのＢＢ線での断面図である。また、図５は、本発明に係るメトロノームの上面図である。
【００２０】
ケース２は、発音体６０を露出する部分に穴を設けている。本実施形態においては、ケース２は、ケース２の外表面から発音体６０の振り子１１に対して前面側の面の少なくとも一部を露出する穴を有している。また、ケース２は、振り子１１をケースの外表面に露出する貫通孔を有している。なお、ケース２において、発音体６０を露出する穴と振り子１１を露出する貫通孔は、つながっていてもよいし、別々に形成されてもよい。本実施形態では、それぞれの穴は繋がって形成されている。
【００２１】
ケース２は、基部８に発音体６０を固定する支持部７を有する。本実施形態において、支持部７は、基部８の開口部を挟んで対向する両端部からそれぞれケース２の中央の開口部に向かって水平方向に延びている。すなわち、支持部７は一対で構成されている。また、本実施形態において、支持部７は、基部８の両端部のそれぞれに複数形成されている。また、発音体６０は、固定部６１を有している。なお、図５において、支持部７及び固定部６１は点線で示している。固定部６１は、支持部７に対応する位置に設けられた窪み部で形成されている。本実施形態において、固定部６１の窪み部は、基部８の一端部の支持部７に対応する位置から基部８の反対側の端部の支持部７に対応する位置まで形成されている。また、複数の窪み部が、基部８の一端部に形成された複数の支持部７に対応して形成されている。発音体６０は、支持部７と固定部６１の窪み部とを嵌合して、ケース２に支持されている。このとき、基部８の一端部に支持部７が複数形成されているため、発音体６０は揺動することなくケース２に支持されている。また、本実施形態では、発音体６０を押圧せずに支持するため、発音体６０の振動が固定部からケースへ伝播することを抑制し、ケースの外の空気へ振動を伝播することができる。
【００２２】
すなわち、本実施形態では、支持部７は、発音体６０を固定するとともに、ケース２に設けられる。また、発音体６０はケース２と対向する面に振り子軸の軸方向に振動可能な振動部を有している。
【００２３】
発音体６０は支持部７により固定されるため、振り子軸を当接部６２に確実に当接させることができる。さらに、発音体６０は、ケース２と対向する面に振動部を有している。すなわち、振動部は、支持部７に固定されていないため、振動可能になっている。
【００２４】
支持部７の固定により、発音体６０の支持部に固定される部分の振動は抑制される。支持部７はこの固定される部分からの振動の伝搬により振動するため、支持部７の振動も抑制される。また、ケース２は、支持部７からの振動の伝搬により振動するため、これらの振動も抑制される。一方、振動部は、支持部７に固定されていないため、振動は抑制されない。すなわち、ケース２の振動より、振動部の振動は大きい。そのため、発音体６０自体から発音される拍子音を強調することができる。
【００２５】
また、図５に示すように、メトロノーム１は、振り子１１を揺動可能に軸支する振り子軸１４を備えている。また、発音体６０は、振り子軸１４の軸方向に位置する当接部６２を有する。当接部６２は、たとえば金属材料などの振り子軸１４の当接により研削されない材料、または破壊されない材料で形成されている。なお、本実施形態においては、当接部６２は、別部材で形成されているが、これに限定されず、発音体６０の一部を当接部６２としてもよい。
【００２６】
なお、支持部７及び固定部６１の構造は本実施形態に限定されず、ケース２が発音体６０を固定していればよい。例えば、発音体６０全体がケース２の外表面から露出し、発音体のケース２の外表面と対向する面が、ケース２の外表面に固定されていてもよい。この場合、ケース２の外表面の一部に振り子軸１４を露出する穴が形成され、振り子軸の軸方向に位置するように、当接部６２は穴と対向する位置に配置される。また、発音体６０は、発音体６０とケース２を接着して支持されてもよいし、ケース２が外表面から立設する支持部を有し、その支持部で支持されてもよい。
【００２７】
図６、図７は、ケースの内部を示す図であり、それぞれ側面図、正面図である。
機械体１０は、ぜんまい３１と、ぜんまい３１からの駆動力を伝達する伝達輪列と、を備える。また、機械体１０は、支持板３０を備えている。
【００２８】
伝達輪列は、支持板３０に軸支されるとともに、１番歯車２９を含む複数の歯車と、歯車を回転可能に軸支する支持軸とを有している。伝達輪列は、例えば、以下の通りに構成されている。
【００２９】
支持板３０は、ぜんまい３１の巻き上げ軸を１番軸３２として、その両端を回転可能に軸支している。１番軸３２は、１番歯車２９を軸支している。また、支持板３０は、２番軸３３を軸支している。２番軸３３は、１番歯車２９と噛合可能に図示しない２番ピニオンを設けるとともに、溝付歯車２１を軸支している。
【００３０】
溝付歯車２１は、打突溝及び平坦面が同一円周上に形成された溝形成面を有する。また、支持板３０は、３番軸３４を軸支している。３番軸３４は、溝付歯車２１と噛合可能に３番ピニオン３５を設けている。また、３番軸３４は、ホイール３６を軸方向に移動可能に設けている。
【００３１】
ホイール３６は、筒状に形成され、両端には、つば部３９が形成されている。また、両端のつば部３９には、それぞれ端部から中心に向かって軸方向に延びる逃げ板部３７が設けられている。また、それぞれの逃げ板部３７は、同一直線状ではない互いに平行な位置関係で設けられている。たとえば、それぞれの逃げ板部３７は、つば部３９の周方向に１８０度ずれた位置関係に形成されている。
【００３２】
また、メトロノーム１は振り子１１を有している。また、振り子１１は、周期を設定するためのものであり、振り子１１の中央部で振り子軸１４によって揺動可能に軸支される。また、遊錘１２は、振り子１１の上下に可動可能に取り付けられ、振り子１１の周期を設定する。また、振り子１１の下端には、振り子１１の揺動を補助するための固定錘１３が固定されている。振り子軸１４は、ホイール３６の中心に向かってホイール３６の径方向に突出する振り子ピン１５が設けられている。また、機械体１０は、振り子軸１４を回動可能に支持するとともに、振り子軸１４に軸方向の振動を加える。
【００３３】
次に、機械体１０が振り子軸１４を回動させ、振り子を所望の周期で揺動させる動作について説明する。
ぜんまい３１を巻き上げると、伝達輪列中の歯車等が回転する。これにより、伝達輪列中のホイール３６が回転する。ホイール３６の回転により、振り子ピン１５が両逃げ板部３７に交互に係合する。図７において、振り子ピン１５は、一方の逃げ板部３７に係合している。さらに、ホイール３６が回転すると、両方のつば部３９がホイール３６の回転方向と同方向に回転する。そして、つば部３９の回転に合わせて、逃げ板部３７が回転する。
【００３４】
なお、逃げ板部３７は、係合した振り子ピン１５を反対側のつば部３９に設けられた逃げ板部３７に向かって揺動する構成となっている。たとえば、逃げ板部３７は、先端部に向かうにつれて細くなる構成となっている。そのため、一方のつば部３９に設けられた逃げ板部３７に係合した振り子ピン１５は、逃げ板部３７が回転すると、係合している逃げ板部３７の先端部に向かって揺動し、係合している逃げ板部３７から離間する。その後、振り子ピン１５は、反対側のつば部３９に設けられた逃げ板部３７に向かって揺動を続ける。
【００３５】
そして、逃げ板部３７は継続して回転しているため、反対側のつば部３９に設けられている逃げ板部３７と振り子ピン３９とが係合する。
これにより、ホイール３６の回転が一定の周期で停止及び回転を繰り返し、振り子ピン１５は一定の周期で揺動するため、振り子ピン１５の揺動に合わせて振り子１１が一定の周期で揺動する。このとき、振り子軸１４は、振り子ピン１５の揺動に合わせて回動する。なお、ホイール３６の停止及び回転は、遊錘１２の可動位置によって設定された周期によってタイミングが決まる。
なお、伝達輪列及び振り子１１は、本実施形態の構成に限られず、従来のメトロノームで採用されている構成を採用してもかまわない。
【００３６】
また、本実施形態において、機械体１０は、溝形成面に当接する打鈴棒５０を備えている。また、支持板３０は、円弧状に長孔３８が形成されている。長孔３８に打鈴棒５０が挿入されることにより、打鈴棒５０が図示しない溝形成面に当接する。なお、本実施形態に限らず、第１の打鈴部５１が溝形成面２２に当接すればよい。また、本実施形態において、機械体１０は、打鈴棒５０に打鈴される鈴５５を有している。
なお、本発明のメトロノームは本実施形態に限られない。例えば、打鈴機構である打鈴棒５０及び鈴５５は必ずしも必要ない。
【００３７】
次に、機械体１０が振り子軸１４に軸方向の振動を加える動作について説明する。図８は、本発明に係る振り子軸の振動を説明する図である。図８（ａ）、図８（ｂ）は、それぞれ振り子ピン１５が一方のつば部３９の逃げ板部３７と係合していない状態、振り子ピン１５が一方のつば部３９の逃げ板部３７と係合している状態を示す。なお、点線で示す逃げ板部３７は、反対側のつば部３９に設けられた逃げ板部３７である。
【００３８】
図８（ａ）に示すように、振り子ピン１５は、つば部３９の逃げ板部３７から離間すると、反対側のつば部３９に向かって回動する。このとき、振り子軸１４は、機械体の逃げ板部３７から軸方向の振動を加えられていない。
【００３９】
その後、ホイール３６が回転すると、両方のつば部３９がホイール３６の回転方向と同方向に回転する。そして、図８（ｂ）に示すように、つば部３９の回転に合わせて、逃げ板部３７が回転する。このとき、振り子ピンは、一方のつば部３９へ揺動しているため、逃げ板部３７と係合する。
【００４０】
このとき、図８（ｂ）に示すように、振り子ピン１５は、逃げ板部３７に打撃を加えられる。そのため、振り子ピン１５は、軸方向に振動する。
なお、振り子ピン１５に振動を加える構成は、本実施形態の構成に限られず、従来のメトロノームで採用されている構成を採用してもかまわない。
【００４１】
次に、発音体６０が拍子音を発音する動作を説明する。
振り子ピン１５は、発音体６０の当接部６２に当接し、振動を伝播する。また、振り子ピン１５は、一定の周期で、当接部６２への当接を繰り返す。そのため、発音体６０は、当接部６２からの振動の伝播により、一定の周期で振動する。これにより、発音体６０は、一定の周期の拍子音を発音する。
【００４２】
発音体６０は、ケース２と別体で構成され、ケース２の外表面から露出している。そのため、発音体６０の振動や、発音体６０の振動によって発生する音はケース２を伝播せずに露出部分よりケース２の外の空気へ伝播し、発音体６０の固有の音色をもつ拍子音となる。そのため、発音体６０自体から発音する音を、ケースに影響を受けずに拍子音として聞くことができる。
【００４３】
本実施形態においては、発音体６０は、木製であるため、柔らかみのある木の音色をもつ音を発音することができる。
また、本実施形態においては、ケース２はプラスチック製であるため、ケースそのものが木製のメトロノームよりも安価に製作可能である。
【００４４】
また、発音体６０は、凹部を備えてもよい。本実施形態においては、当接部６２とは異なる表面から当接部の反対側まで凹部が形成されている。すなわち、凹部は、表面を開口端とし、当接部６２側を底部とする構成になっている。
【００４５】
これにより、当接部６２から凹部に振動が伝播し、凹部内で共鳴するため、より発音体自体から発音される拍子音を強調することができる。なお、発音体６０は、必ずしも凹部を有する必要はない。
【００４６】
また、本実施形態において、当接部６２は、基部８の両端部のそれぞれの支持部７から等距離に位置する。発音体６０は支持部７で支持されている。当接部６２が基部８の両端部の支持部７から離れた位置であるため、支持部７からケース２への振動の伝播をさらに抑制することができる。そのため、発音体６０自体から発音する音を、ケースに影響を受けずに拍子音として聞くことができる。
【００４７】
また、当接部６２は、基部８の両端部のそれぞれの支持部７を結んだ線上に位置してもよい。基部８の両端部のそれぞれの支持部７を結んだ線上は、発音体６０において、振り子軸１４の軸方向に対して揺動せずに固定される位置である。そのため、振り子軸１４が当接部６２を一定の振動数で揺動したとしても、振り子軸１４は当接部６２に毎回同じ強さで振動させることができる。
【００４８】
また、発音体６０のケース２と対向する端部が、ケース２から離間してもよい。
これにより、発音体６０の端部の振動が固定部からケース２へ伝播せずにケース２の外の空気へ伝播する。そのため、発音体６０の固有の音色を持つ音の音量が大きくなり、より発音体６０自体から発音される拍子音を強調することができる。
また、発音体６０において、当接部６２が、振り子軸１４の軸方向に可動してもよい。これにより、当接部６２は振り子軸１４から離間するため、消音することができる。
【００４９】
なお、本発明のメトロノームは本実施形態に限られない。本発明は、振り子１１と、振り子１１を揺動可能に軸支する振り子軸１４と、振り子軸１４を回動可能に支持するとともに、振り子軸１４に軸方向の振動を加える機械体１０と、機械体１０を収納するケース２と、を備えるメトロノーム１において、ケース２と別体で構成され、ケース２の外表面から露出するとともに、振り子軸１４の軸方向に位置する当接部６２を有する発音体６０を備え、振り子軸１４は、前記振動により当接部６２に当接すればよい。
【００５０】
この場合でも、発音体６０がケース２の外表面から露出しているため、発音体６０の振動や発音体６０の振動によって発生する音はケースを伝播せずに露出部分よりケース２の外の空気へ伝播し、発音体６０の固有の音色をもつ拍子音となる。そのため、発音体６０自体から発音する音を、ケース２に影響を受けずに拍子音として聞くことができる。
【００５１】
図９に、本発明のメトロノームの実施形態の変形例を示す。なお、図６と同様の構成になる部分については、その詳細な説明を省略する。
図９においては、発音体６０は、機械体１０に形成される支持部４０で支持されている。この場合、図６と同様に支持部４０は、発音体６０を挟んで一対で構成されている。また、支持部４０及び固定部６１の構造は、図５に示す支持部７及び固定部６１と同様である。なお、発音体６０を支持する構成は、これに限られず、一対の支持部４０は発音体６０を対向する位置から押圧して支持する構成でもよい。ただし、この場合、発音体６０への振動が支持部４０に伝播しやすくなるため、発音体６０からケース２を伝播せずに露出部分よりケース２の外の空気へ伝播して発音される音が小さくなる。そのため、図９のように発音体６０を支持することが好ましい。
【００５２】
すなわち、本実施形態では、支持部７は、発音体６０を固定するとともに、機械体１０に設けられる。また、発音体６０は機械体１０と対向する面に振り子軸の軸方向に振動可能な振動部を有している。
なお、発音体６０は、ケース２または機械体１０に支持されることに限定されず、振り子軸１４が当接する位置であれば、発音体６０を支持するものは限定されない。
【００５３】
図１０乃至図１４は、本発明に係る発音体の構造を示す図である。なお、発音体６０の固定部は省略している。
図１０（ａ）は、発音体６０において当接部６２を有する面側から見た図であり、図１０（ｂ）は、発音体６０の側面図である。
【００５４】
図１０において、発音体６０は、凹部６３を備える。発音体６０は、円板状に形成され、当接部６２を有する面が円の中心を含む切片で構成される。また、当接部６２は、円の中心部に位置する。また、発音体６０において、弦と反対側の端部の側面から当接部６２に向かって、当接部６２を有する面の方向に凹部６３が形成されている。この場合、表面は、弦と反対側の端部の側面である。図１０（ａ）において、点線は凹部６３の底部を示している。また、凹部６３の開口部は、弦と異なる位置である。すなわち、発音体６０において、弦側が凹部６３の底部である。また、凹部６３の開口部は、弦と反対側の端部の側面から弦側の側面まで形成されている。
【００５５】
これにより、当接部６２から凹部６３に振動が伝播し、凹部６３内で共鳴するため、より発音体６０の固有の音色を強調することができる。また、発音体６０は、円板状に形成されているため、効率的に振動させることができる。
なお、発音体６０は、必ずしも円板状でなくてもよく、矩形板状などの多角形の板状に形成されていてもよい。
【００５６】
図１１（ａ）は、発音体６０において当接部６２を有する面側から見た図であり、図１１（ｂ）は、発音体６０の側面図である。
図１１に示す発音体６０は、図１０に示す発音体６０と異なり、凹部６３の開口部が弦と反対側の端部の側面のみに形成されている。この場合においても、発音体６０は、表面から当接部６２まで形成される凹部６３を備える。この場合、必ずしも弦と反対側の端部の側面に開口部を形成する必要はなく、側面の一部を開口部として、当接部６２まで向かって凹部６３が形成されていればよい。
【００５７】
図１２（ａ）は、発音体６０において当接部６２を有する面側から見た図であり、図１２（ｂ）は、発音体６０の側面図である。
図１２において、当接部６２を有する面と反対の面から厚さ方向に当接部６２に向かって凹部６３が形成されている。この場合、当接部６２の厚さが当接部と異なる他の部分の厚さより薄くなっている。
【００５８】
当接部６２の振動が大きくなるため、拍子音の音量が大きくなり、発音体６０の固有の音色を強調することができる。なお、当接部６２を有する面に開口部として、当接部６２を有する面から当接部６２に向かって凹部６３を形成してもよい。
【００５９】
図１３（ａ）は、発音体６０において当接部６２を有する面側から見た図であり、図１３（ｂ）は、発音体６０の側面図である。
図１３において、図１０と同様に弦と反対側の端部の側面から当接部６２に向かって、当接部６２を有する面の方向に凹部６３が形成されている。また、凹部６３の開口部は、弦と反対側の端部の側面から弦側の側面まで形成されている。
【００６０】
さらに、図１３において、当接部に形成された凹部６３は、当接部６３と異なる他の部分よりも弦側に底部を形成している。なお、図１３においても、図１０と同様に底部は一平面上に形成されてもよい。また、弦と反対側の端部の側面から当接部６２に向かって形成された凹部は、他の部分の凹部より広く形成されている。そのため、当接部６２の厚さが他の部分の厚さより薄くなっている。
【００６１】
図１４（ａ）は、発音体６０において当接部６２を有する面側から見た図であり、図１４（ｂ）は、発音体６０の側面図である。
図１４において、発音体６０は、矩形板状に形成されている。また、当接部６２を有する面から厚さ方向に当接部６２に向かって凹部６３が形成されている。この場合、当接部６２の厚さが当接部６２と異なる他の部分の厚さより薄くなっている。図１４の構成にすると、発音体６０を容易に形成することができる。
【００６２】
なお、本発明のメトロノームは本実施形態に限られない。例えば、発音体６０のケース２と対向する面が、ケース２から離間してもよい。この場合、図１において、発音体６０の側面がケース２から少なくとも一部離間している状態となる。また、発音体６０は、固定部６１のみで固定される構成でもよい。また、発音体６０全体がケース２の外表面から露出している場合、発音体のケース２の外表面と対向する面が、ケース２の外表面の少なくとも一部から離間する構成でもよい。
【００６３】
これにより、発音体６０の面の振動が固定部６１からケース２へ伝播せずにケース２の外の空気へ伝播するため、発音体６０の固有の音色を持つ音の音量が大きくなり、より発音体６０の固有の音色を強調することができる。
【００６４】
また、発音体６０を振り子軸１４の前記軸方向に可動する位置調節部を有する構成でもよい。例えば、発音体６０は、ケース２または機械体１０に支持され、ケース２または機械体１０から着脱可能に備えられていてもよい。この場合、当接部６２は、振り子軸１４から離間するため、消音することができる。
【符号の説明】
【００６５】
１    メトロノーム
２    ケース
４    ぜんまい巻
５    目盛盤
７    支持部
８    基部
１０  機械体
１１  振り子
１２  遊錘
１３  固定錘
１４  振り子軸
１５  振り子ピン
２１  溝付歯車
２９  １番歯車
３０  支持板
３１  ぜんまい
３２  １番軸
３３  ２番軸
３４  ３番軸
３５  ３番ピニオン
３６  ホイール
３７  逃げ板部
３８  長孔
３９  つば部
４０  支持部
５０  打鈴棒
５５  鈴
６０  発音体
６１  固定部
６２  当接部
６３  凹部
【図１】
2014185922.tif 000003
【図２】
2014185922.tif 000004
【図３】
2014185922.tif 000005
【図４】
2014185922.tif 000006
【図５】
2014185922.tif 000007
【図６】
2014185922.tif 000008
【図７】
2014185922.tif 000009
【図８】
2014185922.tif 000010
【図９】
2014185922.tif 000011
【図１０】
2014185922.tif 000012
【図１１】
2014185922.tif 000013
【図１２】
2014185922.tif 000014
【図１３】
2014185922.tif 000015
【図１４】
2014185922.tif 000016